(57)【特許請求の範囲】
【請求項１】
一方が他方に対して離接できるように揺動可能な細長い下側バレルおよび上側バレルを備え、前記下側バレルおよび上側バレルのそれぞれの接合面は、両者協働して毛髪のためのストレーター機能を発揮するためのものであり、一方、前記下側バレルおよび上側バレルのそれぞれの外周面は、両者協働して毛髪のためのカール機能を発揮するためのものであり、前記下側バレルは、金属で形成され、垂直部と、この垂直部の一端に形成され、該下側バレルの接合面を構成する第１水平部と、前記垂直部の他端に形成され、該下側バレルの外周面の一部を構成する第２水平部を有し、バレルの長手方向に延びる骨格材、および合成樹脂で形成され、前記骨格材の垂直部の両側に配置され、該骨格材に沿って延びるほぼ台形の第１および第２バレルバーを備え、これらの第１および第２バレルバーには、それぞれ該バレルバーに沿って延びる細長いイオン放電板が埋設されており、該イオン放電板には、間隔を置いて配置され、バレル外方に向いたマイナスイオン放出用の複数の針状突起が設けられており、前記第１および第２バレルバーの少なくとも前記針状突起が配置された部分は、バレル外部に開放した空間が設けられていることを特徴とするヘアーアイロン。
【請求項２】
前記グリップの先端中央部に、マイナスイオンを放出するための針状電極が配置されており、この針状電極により、下側バレルの接合面と上側バレルの接合面の間にマイナスイオンを吹き出すようになっている請求項１のヘアーアイロン。
【請求項３】
前記上側バレルの外周面に離接可能な揺動可能な細長いクリップ板を更に有する請求項１または２のヘアーアイロン。
【発明の詳細な説明】
【技術分野】
【０００１】
本発明は、ヘアーアイロンに関し、さらに詳細には、マイナスイオンを発生する手段を備えたヘアーアイロンに関するものである。
【背景技術】
【０００２】
マイナスイオンは、髪に当てれば、髪の損傷を抑えるとともに、髪をサラサラにしてセットをやりやすくすると同時に、セットの持ちも良くなるなどの効果があると言われている。
【０００３】
そこで、特開２００３−２７５０１３号公報では、マイナスイオンを発生するヘアーアイロンが提案されている。
【０００４】
このヘアーアイロンは、髪を巻き付ける発熱面を周囲に形成した円筒形の発熱部と直列に棒状のハンドルを設けたもので、前記棒状のハンドル内には高電圧発生手段とその高電圧発生手段に接続された放電電極を備えている。また、その放電電極で発生したマイナスイオンは、前記ハンドルに設けた放出口（一箇所）から発熱部に向けて放出するようになっている。
【特許文献１】特開２００３−２７５０１３号公報
【０００５】
しかしながら、上記のヘアーアイロンでは、ハンドル部分に設けた一箇所の放出口からマイナスイオンを放出するようにしているので、例えば、髪を伸ばすために発熱面で髪を梳かすようにすれば髪全体にマイナスイオンを行き渡らせることができるが、発熱面に髪を巻き付けてカールをする場合は、放出口からのマイナスイオンの大部分は、巻き付けた外側の髪の、しかも、その髪の表面にしか当たらない。そのため、熱のダメージを最も受ける発熱面に直接巻き付けられた一番内側の髪にまで十分にマイナスイオンを行き渡らせることのできない問題がある。
【０００６】
この問題を解決するため、特開２００６−２０４３６９号では、髪を巻き付ける発熱面を周囲に形成した金属製で円筒形の発熱部と直列に設けた棒状のハンドル内に、高電圧発生手段を備えるとともに、前記高電圧発生手段のグランド出力を前記発熱部の円筒と接続し、一方、高電圧発生手段の高電圧出力と接続した針状の電極を発熱部の円筒内に配置して円筒の内周と対向させて配置し、その円筒内に配置した針電極の針先と対向する円筒の発熱面に複数のスリットあるいは貫通孔を設けたヘアーアイロンが提案されている。
【特許文献２】特開２００６−２０４３６９号公報
【０００７】
しかしながら、上記した特開２００６−２０４３６９号公報に開示されたヘアーアイロンにあっては、マイナスイオンの放出口が円筒の発熱部の長手方向の一部にしか設けられていないので、円筒状の発熱部の長手方向に拡がった毛髪のうち、放出口を外れた毛髪には、マイナスイオンが当たらないという問題がある。また、マイナスイオンは熱に弱いので、針状電極から放出されたマイナスイオンは、円筒状の発熱部に設けた放出口から僅かしか外部に放出されず、マイナスイオンの効果が薄いという問題がある。
【発明の開示】
【発明が解決しようとする課題】
【０００８】
そこで、本発明は、アイロンの長手方向に沿って拡がった毛髪に満遍なくマイナスイオンを供給することができるとともに、充分な量のマイナスイオンを外部放出することのできるヘアーアイロンを提供することを目的とするものである。
【課題を解決するための手段】
【０００９】
上記課題は、本発明の下記（１）〜（３）の構成のいずれかによるヘアーアイロンにより解決することができる。
（１）  一方が他方に対して離接できるように揺動可能な細長い下側バレルおよび上側バレルを備え、前記下側バレルおよび上側バレルのそれぞれの接合面は、両者協働して毛髪のためのストレーター機能を発揮するためのものであり、一方、前記下側バレルおよび上側バレルのそれぞれの外周面は、両者協働して毛髪のためのカール機能を発揮するためのものであり、前記下側バレルは、金属で形成され、垂直部と、この垂直部の一端に形成され、該下側バレルの接合面を構成する第１水平部と、前記垂直部の他端に形成され、該下側バレルの外周面の一部を構成する第２水平部を有し、バレルの長手方向に延びる骨格材、および合成樹脂で形成され、前記骨格材の垂直部の両側に配置され、該骨格材に沿って延びるほぼ台形の第１および第２バレルバーを備え、これらの第１および第２バレルバーには、それぞれ該バレルバーに沿って延びる細長いイオン放電板が埋設されており、該イオン放電板には、間隔を置いて配置され、バレル外方に向いたマイナスイオン放出用の複数の針状突起が設けられており、前記第１および第２バレルバーの少なくとも前記針状突起が配置された部分は、バレル外部に開放した空間が設けられていることを特徴とするヘアーアイロン。
（２）  前記グリップの先端中央部に、マイナスイオンを放出するための針状電極が配置されており、この針状電極により、下側バレルの接合面と上側バレルの接合面の間にマイナスイオンを吹き出すようになっている上記（１）のヘアーアイロン。
（３）  前記上側バレルの外周面に離接可能な揺動可能な細長いクリップ板を更に有する上記（１）または（２）のヘアーアイロン。
【発明の効果】
【００１０】
本発明のヘアーアイロンにおいては、上記したように、上記バレルの長手方向に沿って延びるイオン放電板に長手方向に間隔を置いて配置した複数の針状電極からマイナスイオンを放出するようにしているので、上記バレルの長手方向に拡がった毛髪全体にマイナスイオンが行き渡るという効果がある。
また、本発明のヘアーアイロンにおいては、針状電極の周囲が比較的温度の低い合成樹脂で囲まれており、発生したマイナスイオンが高温の部材に接触しないので、マイナスイオンが破壊されることなく、効率的に毛髪まで到達し、効率がよい。
【発明を実施するための最良の形態】
【００１１】
以下、添付図面を参照しつつ、本発明の実施の態様によるヘアーアイロンについて説明する。
【００１２】
本発明の実施の態様によるヘアーアイロン１０は、グリップ１２、このグリップの先端に取り付けられた下側バレル１４、およびこの下側バレル１４に後端側で揺動可能に取り付けられた上側バレル１６を備えている。この下側バレル１４と上側バレル１６でアイロン部を構成する。前記下側バレル１４および上側バレル１６は、互いに接合した接合位置（図１参照）と、一方が他方に対して揺動して、互いに離れた離間位置（図２参照）とを取ることができる。上記上側バレル１６は、上記接合位置（図１参照）を取るようバネ（図示せず）によって常時下側バレル１４側に付勢されている。
【００１３】
上記前記下側バレル１４および上側バレル１６のそれぞれの接合面１８、２０（図３参照）は、両者協働して毛髪のためのストレーター機能（毛髪をストレートにする機能）を発揮するためのものであり、一方、前記下側バレル１４および上側バレル１６のそれぞれの外周面２２、２４は、両者協働して毛髪のためのカール機能（毛髪にカールを付ける機能）を発揮するためのものである。図示していないが、通常の発熱体が、上側バレル１６に設けられているが、下側バレル１４にも設けられていてもよい。
【００１４】
前記下側バレル１４は、金属特にアルミニウム合金で形成され、バレルの長手方向に該バレルのほぼ全長に亘って延びる骨格材２６、および合成樹脂（例えばナイロン等の断熱性の良いものが好ましい）で形成され、前記骨格材２６に沿って延びる第１および第２バレルバー２８、３０を備えている。
【００１５】
前記骨格材２６は、垂直部３２と、この垂直部３２の上端に形成され、前記下側バレル１４の接合面１８を構成する第１水平部３４と、前記垂直部３２の下端に形成され、該下側バレル１４の外周面２２の一部を構成する第２水平部３６を有している。
【００１６】
前記第１および第２バレルバー２８、３０は、それぞれ前記骨格材２６の垂直部３２の両側と第１水平部３４と第２水平部３６で囲まれた空間に配置されており、横断面形状はほぼ台形をしている。前記第１および第２バレルバー２８，３０の外部に露出した面は、下側バレル１４の外周面の残部（一部は上記したように前記第２水平部３６が構成している）を構成している。したがって、この外部に露出した面は、湾曲している。
【００１７】
ヘアーアイロン１０は、マイナスイオン発生装置を備えている。このマイナスイオン発生装置は、前記第１および第２バレルバー２８、３０に埋設され、それぞれ該バレルバーに沿ってほぼ水平に延びる細長い第１および第２イオン放電板３８、４０（図４参照）を有している。これらの第１および第２イオン放電板３８、４０の外方を向いた側縁には、それぞれ間隔を置いて配置され、バレル外方に向いたマイナスイオン放出用の複数の針状突起４２、４４が設けられている。これらの針状突起は、一枚のイオン放電板について、図示したように３個程度設けることが好ましい。
【００１８】
前記第１および第２バレルバー２８、３０の少なくとも前記針状突起４２、４４が配置された部分には、図３に示されているように開口４６、４８によりバレル外部に開放した空間５０、５２が設けられて、前記針状突起４２、４４が発生したマイナスイオンをバレル外部に放出するようになっている。
【００１９】
また、前記グリップ１２の先端中央部には、マイナスイオンを放出するための針状電極５４が露出した状態で配置されている（図４参照）。この針状電極５４は、下側バレル１４の接合面１８と上側バレル１６の接合面２０の間にマイナスイオンを吹き出すためのものである。上側バレル１６の接合面２０のバレル幅方向中央には、バレルのほぼ全長に亘って延びる断面半円径の溝状凹部５６（図３参照）が形成されていることが好ましい。この凹部５６により、下側バレル１４の接合面１８と上側バレル１６の接合面２０の間に、バレルのほぼ全長に亘って延びる空間５８が形成され、針状電極５４から放出されたマイナスイオンが、この空間５８を通ってバレルの先端まで届くようになる。この針状電極５４からのマイナスイオンは、主としてストレーター機能時に、下側バレルと上側バレルの間に挟まれた毛髪に作用する。
【００２０】
前記第１および第２イオン放電板３８、４０および針状電極５４は、それぞれリード６０、６２、６４を介して高電圧発生装置６６に接続されており、この高電圧発生装置６６から高電圧を供給されて、マイナスイオンを発生するようになっている。上記したように、針状電極５４からのマイナスイオンは、主としてストレーター機能時に、下側バレルと上側バレルの間に挟まれた毛髪に作用し、第１および第２イオン放電板３８、４０の針状突起４２、４４からのマイナスイオンは、主としてカール機能時に、下側バレルと上側バレルの周りに巻かれた毛髪に作用する。針状突起４２、４４からのマイナスイオンは、また、ストレーター機能時に、下側バレルと上側バレルの間に挟まれてスライドさせられる毛髪にアイロン部の前後で作用する。
【００２１】
前記下側バレル１４の後端側には、前記上側バレル１６の外周面２４に沿って湾曲して延びる細長いクリップ板６８が、揺動可能に取り付けられ、前記上側バレル１６の外周面２４に対して離接可能になっている。このクリップ板６８は、バネ（図示せず）により前記上側バレル１６の外周面２４方向に常時付勢されている。このクリップ板６８の後端には、該クリップ板６８を上記バネの付勢力に抗して前記上側バレル１６の外周面２４から離す方向に揺動させるためのレバー７０が一体的に形成されている。本明細書では、レバー７０をクリップ板６８の一部とする。
【００２２】
本ヘアーアイロン１０は、上記レバー７０が操作されたとき、上記クリップ板６８を開くようにする（図５参照）カール機能設定位置と、上側バレル１６（クリップ板６８とともに）開くようにする（図２参照）ストレーター機能設定位置との間で切り替えるための切替機構７２を備えている。
【００２３】
図６および図７に示されているように、上記上側バレル１６およびクリップ板６８は二股状となったそれぞれの後部１６ａ、１６ｂ、６８ａ、６８ｂで、グリップ１２に固定された下側バレル１４の後部両側部に設けられたに２枚の立ち上がり部１４ａ、１４ｂに支軸７３により揺動可能に取り付けられている。
【００２４】
上記切替機構７２は、図８に最も良く示されているように、下側バレル１４の立ち上がり部１４ａ、１４ｂに設けられた上下方向に延びる長穴７４、７６、上側バレル１６の後部１６ａ、１６ｂに設けられた丸穴７８、８０、クリップ板６８の後部６８ａ、６８ｂに設けられた上下方向に延びる長穴８２、８４、これらの長穴７４、７６、丸穴７８、８０、長穴８２、８４を通って横方向に延びるスイッチバー８６、およびグリップ１２を形成する壁部１２ａに対向して設けられた開口に配置された一対のプッシュボタン８８、９０（図６、図７参照）を備えている。上記スイッチバー８６およびプッシュボタン８８、９０は、一直線上に並べられ、スイッチバー８６の両端はプッシュボタン８８、９０の内側に接触しているが、後に説明する目的のため、スイッチバー８６はプッシュボタン８８、９０に対して移動できるようになっている。プッシュボタン８８、９０の内側端縁には、環状のフランジ８８ａ、９０ａが設けられていて、該プッシュボタン８８、９０が、グリップ１２外部に飛び出さないようになっている。図６および図７に示したように、この切替機構７２は、グリップ１２の先端部に設けて、グリップ１２の使用者が通常握らない位置にスイッチバー８６が配置されるようにする。
【００２５】
クリップ板６８の後部６８ａ、６８ｂは、それぞれグリップ１２の壁部１２ａから内側に僅かな間隔（クリップ板間隔という）をおいて配置されており、スイッチバー８６の長さは、グリップ１２の両側部の壁部１２ａ、１２ａの間の内側の幅より上記のクリップ板間隔（一つの）分短くされており、スイッチバー８６は、グリップ１２の内部で、このクリップ板間隔の分だけ左右（図６および図７において、下側を左、上側を右とする）にストロークできるようになっている。スイッチバー８６の左側へのストロークに対してはプッシュボタン９０がストッパーとして働き、スイッチバー８６の右側へのストロークに対してはプッシュボタン８８がストッパーとして働く。
【００２６】
上記スイッチバー８６は、全体としては細長い丸棒であるが、以下に説明するような３つの縮径部を有している。すなわち、スイッチバー８６は、その右側端部が第１縮径部８６ａとされており、そしてクリップ板６８の厚さ分だけ通常の径となっており、続いて図６に示したように下側バレル１４の立ち上がり部１４ａの厚み分の幅の第２縮径部８６ｂとされている。上記スイッチバー８６には、さらに左側端部にクリップ板６８の後部１６ｂの厚み分の通常径部を残し、それに続いて図７に示したようにクリップ板６８の後部１６ｂの厚み分の幅の第３縮径部８６ｃとされている。
【００２７】
下側バレル１４の立ち上がり部１４ａ、１４ｂに設けられた上下方向に延びる長穴７４、７６は、上部にスイッチバー８６の通常の径部が納まることのできる丸穴部７４ａ、７６ａを、そしてそこから下方に延び、幅が上記スイッチバー８６の第２および第３縮径部８６ｂ、８６ｃの径より僅かに大きく、通常の径部の径より小さい長穴部７４ｂ、７６ｂを有している（丸穴部７４ａ、長穴部７４ｂについては図示していない）。上側バレル１６の後部１６ａ、１６ｂに設けられた丸穴７８、８０は、上部にスイッチバー８６の通常の径部が納まることのできる径を有している。クリップ板６８の後部６８ａ、６８ｂに設けられた上下方向に延びる長穴８２、８４は、下部にスイッチバー８６の通常の径部が納まることのできる丸穴部８２ａ、８４ａを、そしてそこから上方に延び、幅が上記スイッチバー８６の第１および第３縮径部８６ｂ、８６ｃの径より僅かに大きく、通常の径部の径より小さい長穴部８２ｂ、８４ｂを有している（丸穴部８２ａ、長穴部８２ｂについては図示していない）。本ヘアーアイロン１０の図１に示した状態（全てが閉じた状態）において、長穴７４、７６の丸穴部７４ａ、７６ａ、丸穴７８、８０、長穴８２、８４の丸穴部８２ａ、８４ａは、一直線上に整列される。
【００２８】
つぎに、図６および図７を参照して、図２に示したように上側バレル１６（クリップ板６８は一体的になる）を下側バレル１４に対して上方に揺動させることができるようにするストレーター機能設定位置、および図５に示したようにクリップ板６８を上側バレル１６（下側バレル１４は一体的になる）に対して上方に揺動させることができるようにするカール機能設定位置について説明する。
【００２９】
先ず、ストレーター機能設定位置について説明する。このストレーター機能設定位置は、左側のプッシュボタン９０を押し込むことにより行われる。このプッシュボタン９０の押し込みにより、スイッチバー８６は右方向に移動し、これとともにプッシュボタン８８はグリップ１２から突出するが、プッシュボタン８８のフランジ８８ａの作用により、プッシュボタン８８およびスイッチバー８６は、図６に示した位置でストップする。
【００３０】
スイッチバー８６は図６に示す位置では、その通常の径部がクリップ板６８の長穴８２、８４の丸穴部８２ａ、８４ａの位置に位置する一方、第２縮径部８６ｂおよび第３縮径部８６ｃが下側バレル１４の長穴７４、７６の位置に位置する。従って、レバー７０を下方に回動すると、スイッチバー８６の第２縮径部８６ｂおよび第３縮径部８６ｃが下側バレル１４の長穴７４、７６の長穴部７４ｂ、７６ｂに入り込んで下方に移動することにより、上側バレル１６がクリップ板６８を伴って上方に揺動させられ、図２の位置を取る。使用者は、この位置で毛髪を下側バレル１４および上側バレル１６の間に位置させ、レバー７０を離すことにより、上側バレル１６がバネの作用により自動的に下方に揺動して閉じ、下側バレル１４および上側バレル１６で毛髪を挟み込んで、ヘアーアイロン１０がストレーター機能を発揮できるようになる。
【００３１】
次に、カール機能設定位置について説明する。このカール機能設定位置は、右側のプッシュボタン８８を押し込むことにより行われる。このプッシュボタン８８の押し込みにより、スイッチバー８６は左方向に移動し、これとともにプッシュボタン９０はグリップ１２から突出するが、プッシュボタン９０のフランジ９０ａの作用により、プッシュボタン９０およびスイッチバー８６は、図７に示した位置でストップする。
【００３２】
スイッチバー８６は図７に示す位置では、その通常の径部が下側バレル１４の長穴７４、７６の丸穴部７４ａ、７６ａの位置に位置する一方、第１縮径部８６ａおよび第３縮径部８６ｃがクリップ板６８の長穴８２、８４の位置に位置する。従って、レバー７０を下方に回動すると、スイッチバー８６の第１縮径部８６ａおよび第３縮径部８６ｃがクリップ板６８の長穴８２、８４の長穴部８２ａ、８４ｂに入り込んで下方に移動することにより、クリップ板６８のみが上方に揺動させられ、図５の位置を取る。使用者は、この位置で毛髪をクリップ板６８および上側バレル１６の間に位置させ、レバー７０を離すことにより、クリップ板６８がバネの作用により自動的に下方に揺動して閉じ、クリップ板６８および上側バレル１６で毛髪を挟み込んで、ヘアーアイロン１０がカール機能を発揮できるようになる。
【００３３】
以上の切替機構７２によれば、一つの操作部でストレーター機能設定位置およびカール機能設定位置に設定切り替えができ、使用者が操作しやすいという利点がある。また、ストレーター機能設定位置およびカール機能設定位置での開閉機構を１つに集約したことで、部品を少なくし、サイズをコンパクトにすることが可能となった。さらに、スイッチバーを通常握らない部分に配置したことで、誤動作を抑制することができるようになった。
【００３４】
以上説明した本ヘアーアイロン１０で用いられたマイナスイオン発生装置の構造は、カール機能のみのヘアーアイロン（すなわち、バレルが下側バレルと上側バレルに分かれておらず、断面円形のもの）にも使用できる。そのヘアーアイロンを本発明のヘアーアイロンの変形例として、図９を参照して、以下簡単に説明する。
【００３５】
この変形例のヘアーアイロン１００は、上記の例のヘアーアイロン１０と比べて、バレルが下側バレルと上側バレルに分かれておらず、断面円形となっている点、バレルバーに骨格材が無い点、および針状電極が無い点で異なっているが、その他の構造はほぼ同様である。ヘアーアイロン１００は、グリップ（図示せず）に取り付けられ、アイロン部を形成する断面円形のバレル１０２を有している。このバレル１０２主要部は、アルミニウム合金等でできている。
【００３６】
上記バレル１０２の表面側の少なくとも一箇所に、バレル１０２の長手方向に延びる合成樹脂で形成されたバレルバー１０４が配置されている。この合成樹脂としては、ナイロン等が好ましい。このバレルバー１０４には、該バレルバーに沿って延びる細長いイオン放電板１０６、１０８が埋設されている。本例では、バレルバーとして、一部品の形態のものを示したが、イオン放電板１０６、１０８のそれぞれ用として２部品のものであってもよい。すなわち、バレルバー１０４は分割されていてもよい。これらのイオン放電板１０６、１０８は、上記したイオン放電板３８、４０と同じ構造を有するものであり、上記したイオン放電板３８、４０と同じく、イオン放電板の長手方向に間隔を置いて配置され、バレル外方に向いたマイナスイオン放出用の複数の針状突起１１０、１１２が設けられている。
【００３７】
前記バレルバー１０４の少なくとも前記針状突起１１０、１１２が配置された部分には、図９に示されているように開口１１４、１１６によりバレル外部に開放した空間１１８、１２０が設けられて、前記針状突起１１０、１１２が発生したマイナスイオンをバレル外部に放出するようになっている。
【００３８】
前記イオン放電板１０６、１０８は、それぞれリード（図示せず）を介して高電圧発生装置（図示せず）に接続されており、この高電圧発生装置から高電圧を供給されて、マイナスイオンを発生するようになっている。
【００３９】
本ヘアーアイロン１００も、上記の例のヘアーアイロン１０のクリップ板６８と同様の構造のクリップ板１２２を有している。このクリップ板１２２も前記バレル１０２の上部外周面に離接可能なように揺動可能である。このクリップ板１２２の操作は、クリップ板６８の場合と同様にレバー（図示せず）によって行われる。なお、図９のバレル内部には発熱体等が配置されるが、それらは省略して示した。
【００４０】
本発明によるヘアーアイロンによれば、上記したように、上記バレルの長手方向に沿って延びるイオン放電板に長手方向に間隔を置いて配置した複数の針状電極からマイナスイオンを放出するようにしているので、上記バレルの長手方向に拡がった毛髪全体にマイナスイオンが行き渡るという効果がある。また、本発明のヘアーアイロンにおいては、針状電極の周囲が比較的温度の低い合成樹脂で囲まれており、発生したマイナスイオンが高温の部材に接触しないので、マイナスイオンが破壊されることなく、効率的に毛髪まで到達し、効率がよい。また、グリップがカール時、ストレート時において変化しないため、持ち替えることなく切り替えができ、切り替えによるヘアーセットがスムーズに移行できる。
【図面の簡単な説明】
【００４１】
【図１】本発明の実施の形態によるヘアーアイロンの全体構造を説明するための側面図である。
【図２】上側バレルを開いた状態で示した図１に示したヘアーアイロンの側面図である。
【図３】本発明の実施の形態によるヘアーアイロンのアイロン部の断面図である。
【図４】本発明の実施の形態によるヘアーアイロンのマイナスイオン発生装置を説明するための模式図である。
【図５】クリップ板を開いた状態で示した図１に示したヘアーアイロンの側面図である。
【図６】本発明の実施の形態によるヘアーアイロンの切替機構のストレーター機能設定位置での状態を示す水平断面図である。
【図７】本発明の実施の形態によるヘアーアイロンの切替機構のカール機能設定位置での状態を示す水平断面図である。
【図８】本発明の実施の形態によるヘアーアイロンの切替機構を説明するための分解図である。
【図９】本発明の実施の形態の変形例によるヘアーアイロンのアイロン部の断面図である。
【符号の説明】
【００４２】
１０  ヘアーアイロン
１２  グリップ
１４  下側バレル
１４ａ  立ち上がり部
１４ｂ  立ち上がり部
１６  上側バレル
１６ａ  後部
１６ｂ  後部
１８  接合面
２０  接合面
２２  外周面
２４  外周面
２６  骨格材
２８  バレルバー
３０  バレルバー
３２  垂直部
３４  第１水平部
３６  第２水平部
３８  第１イオン放電板
４０  第２イオン放電板
４２  針状突起
４４  針状突起
４６  開口
４８  開口
５０  空間
５２  空間
５４  針状電極
５６  凹部
５８  空間
６０  リード
６２  リード
６４  リード
６６  高電圧発生装置
６８  クリップ板
６８ａ  後部
６８ｂ  後部
７０  レバー
７２  切替機構
７３  支軸
７４  長穴
７４ａ  丸穴部
７４ｂ  長穴部
７６  長穴
７６ａ  丸穴部
７６ｂ  長穴部
７８  丸穴
８０  丸穴
８２  長穴
８２ａ  丸穴部
８２ｂ  長穴部
８４  長穴
８４ａ  丸穴部
８４ｂ  長穴部
８６  スイッチバー
８６ａ  第１縮径部
８６ｂ  第２縮径部
８６ｃ  第３縮径部
８８  プッシュボタン
８８ａ  フランジ
９０  プッシュボタン
９０ａ  フランジ
【図１】
0005007182.tif 000002
【図２】
0005007182.tif 000003
【図３】
0005007182.tif 000004
【図４】
0005007182.tif 000005
【図５】
0005007182.tif 000006
【図６】
0005007182.tif 000007
【図７】
0005007182.tif 000008
【図８】
0005007182.tif 000009
【図９】
0005007182.tif 000010